(57)【要約】【課題】  閉鎖空間の内部側の壁面を所定性能に仕上げる必要がある場合でも、仕上げ施工を行う作業者の逃げの空間を建物の平面計画に反映させる必要がない壁体の施工方法を提供する。【解決手段】  内側壁面体１２３と外側壁面体とによって閉鎖空間２０の壁体を形成する壁体の施工方法であって、内側壁面体１２３を形成する内側造作工程は、内側壁面体１２３の少なくとも一箇所に人の出入りが可能な開口部１２３ａを形成して内側壁面体１２３をスタッド１２２に取り付ける、又は、内側壁面体１２３をスタッド１２２に取り付けた後、内側壁面体１２３の少なくとも一箇所に人の出入りが可能な開口部１２３ａを形成する工程と、閉鎖空間２０となる空間の外方から、開口部１２３ａを覆う蓋体１３５を設置する工程と、蓋体１３５と内側壁面体１２３とを面一に仕上げる工程と、を含む。【選択図】  図４
2014114640.tif 000002
【特許請求の範囲】
【請求項１】
建物内部に壁体により又は壁体と階段設備とにより少なくとも四周を囲まれた閉鎖空間が形成され、前記壁体の一部又は全部が、上端部から下端部に亘って設けられた下地フレームと前記閉鎖空間の内側から該下地フレームに取り付けられる板状の内側壁面体と前記閉鎖空間の外側から前記下地フレームに取り付けられる板状の外側壁面体とによって形成される壁体の施工方法であって、
前記閉鎖空間となる空間内で前記内側壁面体を設置する内側造作工程と、
前記閉鎖空間の外方から、前記内側壁面体とによって前記下地フレームを挟み込むように前記外側壁面体を設置する外側造作工程と、を含み、
前記内側造作工程は、
前記内側壁面体の少なくとも一箇所に人の出入りが可能な開口部を形成して前記内側壁面体を前記下地フレームに取り付ける、又は、前記内側壁面体を前記下地フレームに取り付けた後、前記内側壁面体の少なくとも一箇所に人の出入りが可能な開口部を形成する工程と、
前記閉鎖空間となる空間の外方から、前記開口部を覆う蓋体を設置する工程と、
前記蓋体と前記内側壁面体とを面一に仕上げる工程と、
を含む、壁体の施工方法。
【請求項２】
前記内側造作工程は、前記内側壁面体における前記閉鎖空間となる側の面であって、前記開口部の周縁部となる位置に下地材を取り付ける工程を更に含み、
前記蓋体と前記内側壁面体とを面一に仕上げる工程は、前記蓋体を前記下地材に留め付ける工程を含む、
請求項１に記載の壁体の施工方法。
【請求項３】
前記蓋体は、前記内側壁面体と同じ材料で形成されると共に厚さも同じである、請求項１又は２に記載の壁体の施工方法。
【請求項４】
前記内側壁面体の前記開口部の周縁部は、前記閉鎖空間の内側から外側に向けて拡開状に形成され、
前記蓋体の周縁部は、前記内側壁面体の前記開口部の周縁部に係合可能な係合部を備える、
請求項１〜３のいずれか一項に記載の壁体の施工方法。
【発明の詳細な説明】
【技術分野】
【０００１】
本発明は、住宅、店舗、オフィス等の建築物において、一方の面のみならず他方の面についても仕上げを要する間仕切り壁等の壁体の施工方法に関する。
【背景技術】
【０００２】
表裏面の両方の面に仕上げを要する壁体を構築する工法として、溝型に成形したランナー部材を施工現場にて建物躯体に床側と天井側とで上下対向状に設置し、これらのランナー間に柱状のスタッドを所定間隔で立設することで壁下地を形成し、形成した壁下地の両面に、それぞれ壁板を取り付けて間仕切り壁等の壁体を構築する工法がある。
【０００３】
このようにランナー等の金属製壁下地を用いた壁体にあっては、個々の部材重量が比較的軽量であるため、施工現場内での持ち運び等を容易に行うことができ、かつ安全であるという利点がある。
【０００４】
ところが、上述した工法では、壁下地の一方の面側と他方の面側とでの作業を要し、作業者の移動に手間を要するという問題を生じる。かかる問題を解決すべく、特許文献１には、壁体に開口部を設け、この開口部を最終工程で塞ぐことでそれまでの間の作業者の移動負担の軽減を図った構成が開示されている。
【先行技術文献】
【特許文献】
【０００５】
【特許文献１】特開平０４−４９３５９号公報
【発明の概要】
【発明が解決しようとする課題】
【０００６】
しかしながら、上記特許文献１に開示された構成では、最終工程においてはやはり開口部を塞ぐために界壁の両面側からの作業が必要となる。従って、例えば室内に閉鎖空間を形成する壁体であるにも拘わらず、壁体に法規上の防火性能等が要求される場合、閉鎖空間側の壁面の施工を行うことができない。このため、閉鎖空間内の壁面を仕上げる作業者を逃がすための空間を別途設けることが必要となり、これが建物の自由設計を損ねてしまうという問題がある。
【０００７】
そこで本発明は、このような従来技術の有する課題を解決するものであり、閉鎖空間の内部側の壁面を所定性能に仕上げる必要がある場合でも、仕上げ施工を行う作業者の逃げの空間を建物の平面計画に反映させる必要がない壁体の施工方法を提供することを目的とする。
【課題を解決するための手段】
【０００８】
上記課題を解決すべく、本発明に係る壁体の施工方法は、建物内部に壁体により又は壁体と階段設備とにより少なくとも四周を囲まれた閉鎖空間が形成され、壁体の一部又は全部が、上端部から下端部に亘って設けられた下地フレームと閉鎖空間の内側から該下地フレームに取り付けられる板状の内側壁面体と閉鎖空間の外側から下地フレームに取り付けられる板状の外側壁面体とによって形成される壁体の施工方法であって、閉鎖空間となる空間内で内側壁面体を設置する内側造作工程と、閉鎖空間の外方から、内側壁面体とによって下地フレームを挟み込むように外側壁面体を設置する外側造作工程と、を含む。内側造作工程は、内側壁面体の少なくとも一箇所に人の出入りが可能な開口部を形成して内側壁面体を下地フレームに取り付ける、又は、内側壁面体を下地フレームに取り付けた後、内側壁面体の少なくとも一箇所に人の出入りが可能な開口部を形成する工程と、閉鎖空間となる空間の外方から、開口部を覆う蓋体を設置する工程と、蓋体と内側壁面体とを面一に仕上げる工程と、を含む。
【０００９】
本発明によれば、作業者は、先ず、壁部材の施工完了時に閉鎖される空間内に入り、下地フレームに内側壁面体を取り付ける。同時に、内側壁面体に開口部を形成する。この開口部は、内側壁面体に予め形成しておくか、或は、内側壁面体を取り付ける中途段階や取り付け後に内側壁面体を切削する等により形成する。その後、作業者は、内側壁面体に設けた開口部を通じてかかる空間から脱出する。そして、作業者は、閉鎖空間となる空間の外方から、開口部を覆うように蓋体を設置する。
【００１０】
この方法によれば、作業者は、閉鎖空間となる空間内において内側壁面体を施工した後に、開口部を通じて閉鎖空間となる領域から脱出することができ、更に、閉鎖空間となる空間の外方から開口部を塞ぐことができるので、作業者が脱出するための空間を別途設ける必要が無い。また、内側壁面体に設ける開口部は最終的には蓋体で塞がれることとなるので、内側壁面体としての性能も確保することができる。
【００１１】
このように、本発明に係る壁体の施工方法では、閉鎖空間の内部側の壁面を所定性能に仕上げる必要がある場合でも、仕上げ施工を行う作業者の逃げの空間を建物の平面計画に反映させる必要がない。
【００１２】
また、内側造作工程は、内側壁面体における閉鎖空間となる側の面であって、開口部の周縁部となる位置に下地材を取り付ける工程を更に含み、蓋体と内側壁面体とを面一に仕上げる工程は、蓋体を下地材に留め付ける工程を含む、ことが好ましい。この場合には、下地材を用いて、蓋体を内側壁面体に確実に固定することができる。
【００１３】
蓋体は、内側壁面体と同じ材料で形成されると共に厚さも同じである、ことが好ましい。この場合には、蓋体で開口部を塞ぐことにより、内側壁面体の壁としての性能を開口部となる位置も含めて同一とすることができる。
【００１４】
また、内側壁面体の開口部の周縁部は、閉鎖空間の内側から外側に向けて拡開状に形成され、蓋体の周縁部は、内側壁面体の開口部の周縁部に係合可能な係合部を備える、ことが好ましい。この場合には、蓋体の取り付け時に当該蓋体の係合部が内側壁面体の開口部の周縁部に引っ掛かることとなり、蓋体を開口部に向けて押し付けるだけで蓋体を開口部内に収めることができ、より確実かつ簡便に蓋体を開口部に取り付けることができる。
【発明の効果】
【００１５】
本発明によれば、閉鎖空間の内部側の壁面を所定性能に仕上げる必要がある場合でも、仕上げ施工を行う作業者の逃げの空間を建物の平面計画に反映させる必要がない。
【図面の簡単な説明】
【００１６】
【図１】実施形態に係る建物の１階の閉鎖空間周りを示す間取り図である。
【図２】図１の閉鎖空間を形成する工程を説明するための図であり、（ａ）は階段設備の下方側を図１の矢印Ａの方向から見た図であり、（ｂ）は、内側壁面体の開口部回りの水平方向の断面図である。
【図３】図１の閉鎖空間を形成する工程を説明するための図であり、（ａ）は階段設備の下方側を図１の矢印Ａの方向から見た図であり、（ｂ）は、内側壁面体の開口部回りの水平方向の断面図である。
【図４】図１の閉鎖空間を形成する工程を説明するための図であり、（ａ）は階段設備の下方側を建物の外側から見た図であり、（ｂ）は、内側壁面体の開口部回りの水平方向の断面図である。
【発明を実施するための形態】
【００１７】
以下、図面を参照しつつ、本発明に係る壁体の施工方法を適用した建物の実施形態について詳細に説明する。
【００１８】
図１に示すように、建物１は、２以上の階数を有する建物であり、玄関、内壁（壁体、壁部材）１２によって区画された居室、水回り設備、階段設備１５等を有している。ここで、便宜上、図１中の上方向を北側として、階段設備１５周りの壁の配置について説明する。階段設備１５は、昇り方向が南側から北側方向となるように建物１内に設置される。階段設備１５の西側は、建物１の外壁（壁体）１１に当接している。階段設備１５周りにおいて、内壁１２は、第１内壁１２ａ、及び、第２内壁１２ｂを有している。第１内壁１２ａは、階段設備１５の北側に配置される。第２内壁１２ｂは、階段設備１５の東側に配置される。即ち、階段設備１５は、１階から階段設備１５への出入り口となる南側の領域を除いて、外壁１１、第１内壁１２ａ及び第２内壁１２ｂによって囲まれている。
【００１９】
階段設備１５の下方側（階段下）には、閉鎖空間２０が設けられる。閉鎖空間２０は、外壁１１、第１内壁１２ａ、第２内壁１２ｂ、及び、階段設備１５によって四周が囲まれている。本実施形態において、階段設備１５の東側に配置された第２内壁１２ｂは、閉鎖空間２０側の面と閉鎖空間２０の外側の面とに所定の仕上げが施され、所定の性能を有する壁部材となっている。階段設備１５の北側に配置された第１内壁１２ａにおいても、第２内壁１２ｂと同様の構成となっている。
【００２０】
次に、１階の階段設備１５周りの施工工程について説明する。まず、作業者は、柱を立設し、柱間を跨ぐように梁を架設する。そして、作業者は、１階と２階とをつなぐ階段設備１５を設置する。また、作業者は、床スラブを敷設することで各階の床を形成する。これらの作業は、下階から順に行うことができる。
【００２１】
次に、作業者は、建物１の外壁１１を設置する。その後、作業者は、１階の内壁１２を形成するために、内壁１２用の下地材を設置する。この下地材は、図２に示すように、１階の床スラブ上に敷設された下ランナー１２１と、２階の床スラブの下面に取り付けられる上ランナーと、上ランナー及び下ランナー１２１間に亘って設けられる複数本の支柱状のスタッド１２２とを含んでいる。内壁１２を形成する位置にスタッド１２２を複数立設することで、内壁１２を構成する壁面体を設置するための柵状の下地フレームが形成される。
【００２２】
以下、階段設備１５の下方側に形成される閉鎖空間２０内の仕上げ工程について説明する。図２（ａ）及び図２（ｂ）に示すように、作業者は、施工完了により閉鎖空間２０となる空間内において、第１内壁１２ａとなる位置及び第２内壁１２ｂとなる位置に立設されたスタッド１２２に板状の内側壁面体１２３を取り付ける（内側造作工程）。なお、図２（ａ）は、建物１の外側から階段設備１５の下方側を見た図であるが、閉鎖空間２０を図示するために外壁１１及び第１内壁１２ａを省略し、階段設備１５の踏み板も省略してある。図３（ａ）、図４（ａ）についても同様とする。
【００２３】
内側壁面体１２３は、例えば、２枚の石膏ボードによって構成される。内側壁面体１２３を設置することで、外壁１１、内側壁面体１２３、及び、階段設備１５によって四周が囲まれた閉鎖空間２０が形成される。
【００２４】
次に、作業者は、切削等により、内側壁面体１２３に人の出入りが可能な開口部１２３ａを形成する。開口部１２３ａは、内側壁面体１２３に少なくとも一箇所形成される。開口部１２３ａは、隣り合うスタッド１２２間の位置に設けられる。本実施形態では、開口部１２３ａを第２内壁１２ｂに設ける場合を例に説明するが、第１内壁１２ａに設けてもよい。また、内側壁面体１２３をスタッド１２２に取り付けた後、開口部１２３ａを設けるものとしたが、予め開口部１２３ａが設けられた内側壁面体１２３をスタッド１２２に取り付けてもよい。
【００２５】
また、内側壁面体１２３に設ける開口部１２３ａの周縁部は、図２（ｂ）に示すように、閉鎖空間２０の内側から外側に向けて拡開状に形成される。本実施形態では、内側壁面体１２３を構成する２枚の石膏ボードの端部の位置をずらすことで、開口部１２３ａの周縁部を階段状に拡開させている。ただし、開口部１２３ａの周縁部の形状は、階段状に限らず、テーパ状等、適宜の形状に形成することができる。
【００２６】
次に、図３に示す如く、作業者は、開口部１２３ａの下方の床スラブ上に、下ランナー１３１を取り付ける。下ランナー１３１は、内側壁面体１２３の閉鎖空間２０となる側の面に当接している。また、作業者は、内側壁面体１２３の閉鎖空間２０となる側の面であって、開口部１２３ａの上部に、上ランナー１３２を取り付ける。下ランナー１３１及び上ランナー１３２は、断面コ字状を有している。下ランナー１３１は、断面コ字状の開放側が上側を向くように床スラブに取り付けられ、上ランナー１３２は、断面コ字状の開放側が下側を向くように内側壁面体１２３に取り付けられる。
【００２７】
次に、作業者は、図３（ａ）及び図３（ｂ）に示すように、下ランナー１３１及び上ランナー１３２に亘ってスタッド（下地材）１３３及びスタッド（下地材）１３４を取り付ける。スタッド１３３及び１３４は、開口部１２３ａに少なくとも一部又全部がオーバーラップするように取り付けられる。即ち、閉鎖空間２０の外方から開口部１２３ａを見たときに、スタッド１３３及び１３４が露出するように取り付けられる。
【００２８】
開口部１２３ａの周縁部にスタッド１３３及び１３４を取り付けた後、作業者は、開口部１２３ａを通じて閉鎖空間２０となる空間から外へ移動する。そして、作業者は、図４（ａ）及び図４（ｂ）に示すように、閉鎖空間２０となる空間の外方から、開口部１２３ａを覆う蓋体１３５をスタッド１３３及び１３４に当接させる。そして、作業者は、蓋体１３５をスタッド１３３及び１３４にビス止めし、蓋体１３５と内側壁面体１２３とを少なくとも表面側を面一に仕上げる。但し、蓋体１３５で開口部１２３ａを覆ったときに、例えば、蓋体１３５の閉鎖空間２０側の面を、内側壁面体１２３の閉鎖空間２０側の面に対して閉鎖空間２０側に飛び出した状態としてもよい。反対に、蓋体１３５における閉鎖空間２０の外方側の面を、内側壁面体１２３における閉鎖空間２０の外方側の面に対して閉鎖空間２０の外方側に飛び出した状態としてもよい。
【００２９】
図４（ｂ）に示すように、蓋体１３５の周縁部には、内側壁面体１２３の開口部１２３ａに係合可能に形成された係合部１３５ａを有している。本実施形態では、蓋体１３５は、内側壁面体１２３と同じ２枚の石膏ボードで構成され、厚みも同じである。また、係合部１３５ａは、２枚の石膏ボードの端部の位置をずらすことで、内側壁面体１２３の開口部１２３ａに係合する形状に形成される。
【００３０】
また、本実施形態では、蓋体１３５をスタッド１３３及び１３４にビス止めするものとしたが、蓋体１３５をスタッド１３３及び１３４に当接させた後、閉鎖空間２０の外方側から、蓋体１３５を内側壁面体１２３に粘着テープにより固定してもよい。また、蓋体１３５をスタッド１３３及び１３４にビス止めした後、蓋体１３５と内側壁面体１２３との繋ぎ目を覆うように粘着テープを張り付けてもよい。
【００３１】
開口部１２３ａを蓋体１３５で覆った後、作業者は、閉鎖空間２０の外方から、内側壁面体１２３とによってスタッド１２２を挟み込むように板状の外側壁面体を設置する（外側造作工程）。外側壁面体は、スタッド１２２に留め付けられる。外側壁面体は、内側壁面体１２３と同じものを用いることができる。以上の工程により、階段設備１５の下方側に閉鎖空間２０が形成される。
【００３２】
本実施形態は以上のように構成され、作業者は、階段設備１５の下方側の閉鎖空間２０となる空間内において内側壁面体１２３を施工した後に、開口部１２３ａを通じて閉鎖空間２０となる空間から脱出することができ、更に、閉鎖空間２０となる空間の外方から開口部１２３ａを塞ぐことができるので、作業者が脱出するための空間を建物１内に別途設ける必要が無い。また、内側壁面体１２３に設ける開口部１２３ａは最終的には蓋体１３５で塞がれることとなるので、内側壁面体１２３としての性能も確保することができる。
【００３３】
このように、本実施形態における壁体の施工方法では、閉鎖空間２０の内部側の壁面を所定性能に仕上げる必要がある場合でも、仕上げ施工を行う作業者の逃げの空間を建物１の平面計画に反映させる必要がない。
【００３４】
また、開口部１２３ａにオーバーラップするようにスタッド１３３及び１３４を設け、スタッド１３３及び１３４に蓋体１３５を取り付けることで、蓋体１３５を内側壁面体１２３に確実に固定することができる。
【００３５】
また、蓋体１３５を、内側壁面体１２３と同じ材料で形成すると共に厚さも同じとする。この場合には、蓋体１３５で開口部１２３ａを塞ぐことにより、内側壁面体１２３の壁としての性能を開口部１２３ａとなる位置も含めて同一とすることができる。
【００３６】
また、内側壁面体１２３の開口部１２３ａの周縁部を閉鎖空間２０の内側から外側に向けて拡開状に形成し、蓋体１３５の周縁部に内側壁面体１２３の開口部１２３ａに係合する形状の係合部１３５ａを形成する。これにより、蓋体１３５の取り付け時に当該蓋体１３５の係合部１３５ａが内側壁面体１２３の開口部１２３ａの周縁部に引っ掛かることとなり、蓋体１３５を開口部１２３ａに向けて押し付けるだけで蓋体１３５を開口部１２３ａ内に収めることができ、より確実かつ簡便に蓋体１３５を開口部１２３ａに取り付けることができる。
【００３７】
以上、本発明の一実施形態について説明したが、本発明は、上記実施形態に限定されるものではない。例えば、閉鎖空間２０は、外壁１１、内壁１２、及び、階段設備１５により四周を囲まれるものとしたが、外壁１１及び内壁１２によって四周を囲まれた閉鎖空間を形成する際、又は、内壁１２によって四周を囲まれた閉鎖空間を形成する際に、上述した壁体の施工方法を用いてもよい。
【００３８】
また、内側壁面体１２３を留め付けるスタッド１２２と、外側壁面体を留め付けるスタッドとを異なるものとしてもよい。この場合、まず、スタッド１２２を立設し、スタッド１２２に内側壁面体１２３を留め付ける。その後、外側壁面体を留め付けるための外側壁面体用のスタッドをスタッド１２２から離して立設し、立設した外側壁面体用のスタッドに外側壁面体を留め付けることができる。
【００３９】
実施形態で説明した建物１は、住宅、店舗、オフィス等、適宜の用途に用いることができる。
【符号の説明】
【００４０】
１…建物、１１…外壁（壁体）、１２…内壁（壁体、壁部材）、１５…階段設備、２０…閉鎖空間、１２２…スタッド（下地フレーム）、１２３…内側壁面体、１２３ａ…開口部、１３３，１３４…スタッド（下地材）、１３５…蓋体、１３５ａ…係合部。
【図１】
2014114640.tif 000003
【図２】
2014114640.tif 000004
【図３】
2014114640.tif 000005
【図４】
2014114640.tif 000006